(57)【特許請求の範囲】
【請求項１】
貯水槽内に係止する支持部材を所定位置に配設し、浮き部材を外側に配し、この浮き部材より上方に長孔を設け、上端に蓋体を開閉自在に配してなる有底筒状の容器を形成し、
押圧部を上下動させる駆動部を上部に設け、押圧すると薬液を吐出する吐出部を有する薬液体を駆動部の下部に交換自在に配し、薬液体の下部に電源部を配し、駆動部を予め定められた所定間隔で駆動するように制御する制御部を配設してなる内装体を形成し、
前記容器に前記内装体を収納し、薬液体の吐出部に連設したホースを容器の長孔から露出させ、駆動部の押圧部を所定間隔で上下動させて、薬液体の吐出部を押圧して、薬液をホースを介して貯水槽に供給し、
前記内装体と前記容器との隙間に吸着部材を取り換え自在に配してなることを特徴とする簡易滅菌液供給装置。
【請求項２】
前記容器の底部外側に永久磁石を配設してなることを特徴とする請求項１記載の簡易滅菌液供給装置。
【発明の詳細な説明】
【０００１】
【発明の属する技術分野】
本発明は、受水槽、高架水槽等の貯水槽（以下、単に貯水槽と記す）に、塩素等の滅菌薬液を供給する簡易滅菌液供給装置に関するものである。
【０００２】
【従来の技術】
従来、ビルや集合住宅などに設置されている貯水槽は、揚水ポンプにより飲料水を汲み上げ、貯水するものであるが、気温の高い時期や、水使用量の少ないときなどは、貯水槽内の飲料水中の塩素濃度が低下する。
【０００３】
すなわち、気温の高い時期には、水温上昇により飲料水の塩素が立ち消えしやすく、又、水の使用量の少ない時期は、汲み上げられて補充される飲料水の量が少ないため、貯水槽内の飲料水の循環が悪く、滞留して塩素が抜けやすいためである。
【０００４】
そこで、この給水の際に、揚水ポンプと連動する定量注入ポンプで塩素を注入する塩素注入装置や、貯水槽の近くに設置して、この貯水槽との間で水を循環させ一定量の塩素濃度を保持させる塩素滅菌装置が使用されている。
【０００５】
前者の装置では、貯水槽に揚水して再度揚水するまで時間間隔が長いと、揚水ポンプに連動する塩素注入装置がその間作動せず、貯水槽内の飲料水が滞留し、当該飲料水中の塩素濃度が低下して、飲料に不適な水になることがしばしばであった。特に週休二日制とか、学校等の長期休みの場合には、この傾向が顕著である。
【０００６】
後者の装置では、前記のような欠点はないが、装置が大がかりで、設置スペースを必要とし、高価なものであった。
【０００７】
【発明が解決しようとする課題】
本発明は、貯水槽内の飲料水に、塩素等の滅菌薬液を安定的に供給する簡易で、コンパクトで、安価な簡易滅菌液供給装置を提供することを課題とする。
【０００８】
【課題を解決するための手段】
上記目的を達成するため、貯水槽内に係止する支持部材を設け、当該支持部材に本装置を配設し、また、浮き部材を本装置の外側に配して、本装置を安定させて水面に浮かせるとともに、この浮き部材より下方に位置する本装置が水中に漬かることにより、薬液体の温度上昇を防止している。
【０００９】
本装置の内部構成は、上端に蓋体を開閉自在に配してなる有底筒状の容器を形成し、この有底筒状に収納された内装体に、押圧部を上下動させる駆動部を上部に設け、押圧部を押圧することで、吐出部から薬液が吐出する薬液体を駆動部の下部に交換自在に配している。更に、薬液体の下部に電源部を配し、駆動部を予め定められた所定間隔で駆動するように制御する制御部が配設されている。
【００１０】
前記薬液体の吐出部に連設したホースを、前記の浮き部材より上方に設けられた長孔から露出させ、駆動部の押圧部を所定間隔で上下動させて、薬液体の吐出部を押圧して、薬液をホースを介して貯水槽に供給するようにしてなる構成である。
【００１１】
この構成によれば、構造が簡単で、塩素等の滅菌薬液を安定的に供給する簡易で、コンパクトで、安価な簡易滅菌液供給装置を提供することができるものである。又、制御部で駆動部を制御しているため、当該簡易滅菌液供給装置を配設する貯水槽の使用環境に応じて、薬液の吐出量をきめ細かく制御することができ、貯水槽内の飲料水の塩素濃度をより正確に一定に保つことができるものである。
【００１２】
また、前記内装体と前記容器との隙間に、活性炭等を通気性の袋に詰めてなる吸着部材を取り換え自在に配することで、薬液体から吐出した薬液が気化して、本装置の金属部分を腐食することを防止し、当該装置を長持ちさせることができる。
【００１３】
また、前記容器の底部外側に永久磁石を配設することで、永久磁石が重りの働きをして、揚水による貯水槽内の水の攪拌に対しても、当該簡易滅菌液供給装置が水面に安定して浮くことができ、そのため、薬液供給をより安定的に行うことができる。加えて、永久磁石の磁力により、貯水槽内の水が活性化され、本装置底部及び本装置の外周部に水あかの付着を防止するとともに、配管を汚れにくくしたり、錆やスケールの発生を防止したりすることができるものである。
【００１４】
【発明の実施の形態】
本発明の実施の形態を実施例に基づき図面を参照して説明する。
【００１５】
本発明に係る簡易滅菌液供給装置Ａは、図１に示すように、支持部材２で貯水槽Ｂ内に浮いた状態で係止され、当該容器１に収納した内装体１０の薬液体３０の吐出部３１に連設したホース３２を容器１の長孔４から露出させ、所定間隔で薬液を貯水槽Ｂ内に供給するようにしてなる構成である。
【００１６】
支持部材２は、プラスチック製チェーンからなり、図３に示すように、当該支持部材２により貯水槽Ｂ内に当該簡易滅菌液供給装置Ａを係止するもので、貯水槽Ｂの一定位置に当該簡易滅菌液供給装置Ａを配することができ、薬液を貯水槽Ｂ内で偏ることなく安定的に供給することができるものである。
【００１７】
容器１は、図１に示すように、合成樹脂製の有底筒状体で、貯水槽Ｂ内で浮くように浮き部材３の外側に配し、この浮き部材３より上方に長孔４を穿設し、浮き部材３の上方に支持部材２を配し、上部に開閉自在に蓋体５を配してなり、さらに底部外側に網目状ステンレス製の収納ケース６を設け、この収納ケース６内に、複数の板状の永久磁石７を等間隔に配設してなるものである。
【００１８】
この永久磁石７は、容器１の底部に配設することにより、容器１が安定して貯水槽Ｂ内に浮くことができる重りの働きをするものであり、この磁力により、貯水槽内の水が活性化され、配管を汚れにくくしたり、錆やスケールの発生を防止する効果を有するものである。
【００１９】
内装体１０は、図１に示すように、上部に、薬液体３０の吐出部３１を所定間隔で押圧する押圧部１１を駆動する駆動部１２を設け、薬液体３０を交換自在に保持する帯状の面ファスナからなる保持部１３を駆動部１２の下方に設け、薬液体３０の下部に駆動部用電源部１４を配してなるものである。
【００２０】
駆動部１２は、図２に示すように、モータ１５の回転をギア１６で減速し、ギア１６に噛み合った扇形ギア１７の円終端に押圧部１１を設け、扇形ギア１７が所定間隔でゆっくりと回動することにより、押圧部１１が上下動し、所定距離だけ、薬液体３０の吐出部３１を押圧するようにしてなるものである。なお、押圧部１１を上下動させる機構は、薬液体３０の吐出部３１を押圧部１１で押し下げる機構であればよく、図２に示す機構に限定するものではない。
【００２１】
この駆動部１２を制御する制御部２０を当該駆動部内に配設している。ここで、制御部２０は、当該簡易滅菌液供給装置Ａを設置する建物における飲料水の使用量、適正塩素濃度を予め調べておいて、薬液の注入量、注入頻度、昼夜等を考慮して、薬液の投入量をタイマーにより設定し、この設定に従って薬液が吐出するように、駆動部１２のモータ１５を制御するものである。
【００２２】
薬液体３０は、次亜塩素酸ナトリウム入りの市販品で、その上部の吐出部３１を押し下げると、その押し下げたストロークに応じて薬液が吐出するようにしてなるものであり、この吐出部３１にホース３２を取り付けてなるものである。
【００２３】
吸着部材３５は、活性炭等を通気性の袋に詰めてなるもので、蓋体５の裏面と、内装体１０の駆動部１２上部との空間に配設し、薬液体３０から吐出した薬液が気化して容器１内に溜まるのを防止するためのものである。この吸着部材３５は、前記気化ガス（塩素ガス）を吸着し、当該ガスにより駆動部１２、電源部１４や制御部２０に使用している電気系統の配線、ねじ等の金属部分が腐食するのを防止し、駆動部１２や制御部２０が正常に作動しなくならないようにするものである。
【００２４】
次ぎに、本発明に係る簡易滅菌液供給装置Ａの使用方法について、図面に基づき説明する。
【００２５】
当該簡易滅菌液供給装置Ａを取り付ける貯水槽Ｂの水使用状況を調査した結果に基づき、当該貯水槽Ｂ内の飲料水の塩素濃度を一定にするために、薬液の注入量、注入頻度、昼夜等を考慮して、内装体１０の制御部２０のタイマーをセットし、薬液体３０に取り付けたホース３２の先端を容器１の長孔４から露出させて、当該内装体１０を容器１内に収納し、容器１に蓋体５を取り付け蓋をする。
【００２６】
この後、貯水槽Ｂ内の適宜の位置に支持部材２を取り付け、当該簡易滅菌液供給装置Ａを貯水槽Ｂ内に浮かべる。
【００２７】
当該簡易滅菌液供給装置Ａは、図２に示すように、前記制御部２０のタイマー（図示せず）に従って所定時間間隔及び所定時間、駆動部１２のモータ１５が駆動し、モータ１５の回転をギア１６で減速し、扇形ギア１７がゆっくりと回転し、扇形ギア１７の先端の押圧部１１が下降する。
【００２８】
この押圧部１１が、所定距離だけ、薬液体３０の吐出部３１を押し下げ、薬液が吐出部３１、ホース３２を介して貯水槽Ｂ内の水に滴下される。
【００２９】
この後、制御部２０の指令により所定時間、モータ１５が逆回転し、扇形ギア１７がゆっくりと反対方向に回転して押圧部１１が上昇し、所定位置で停止し、薬液体３０の吐出部３１も上昇し、薬液体３０の吐出部３１も所定位置で停止する。
【００３０】
この動作を予め設定された時間間隔に従って所定時間間隔毎に繰り返し、貯水槽Ｂ内の飲料水の塩素濃度を一定に保つものである。
【００３１】
薬液体３０の薬液量を考慮して、所定期間が経過したときに、貯水槽Ｂから当該簡易滅菌液供給装置Ａを取り出し、蓋体５を開け、内装体１０を容器１から取り出す。
【００３２】
内装体１０に取り付けた保持部１３の面ファスナを外し、空になった薬液体３０を取り外し、新しい薬液体３０を再び内装体１０に取り付け、この内装体１０を容器１に収納し、吸着部材３５を必要に応じて交換した後、容器１の蓋体５を閉め、再び当該簡易滅菌液供給装置Ａを貯水槽Ｂ内の所定位置に支持部材２を介して係止して使用するものである。
【００３３】
前記実施例では、チェーンからなる支持部材の例で説明したが、当該簡易滅菌液供給装置を貯水槽内の所定位置に係止することができればよく、貯水槽の内側上面より垂下したレール等に取り付けて係止するようにしてもよく、支持部材の形状、構成、材質等は、特に限定するものではない。
【００３４】
前記実施例では、吸着部材を蓋体と内装体の駆動部上部との空間に配設した例で説明したが、容器内の空隙であればどこでもよく、吸着部材の配設位置は、特に限定するものではない。
【００３５】
前記実施例では、容器の底部に永久磁石を配した例で説明したが、当該磁石に代えて、重りを配するようにしてもよく、又、この場合、重りを容器内の底部に配設するようにしてもよく、さらに、この重りや永久磁石を省略してもよい。当該重りの形状、材質、大きさは特に限定するものではない。
【００３６】
前記実施例では、薬液体を保持する保持部を帯状の面ファスナで形成した例で説明したが、薬液体を交換自在に内装体に取り付けることができればよく、保持部の構成、手段は、特に限定するものではない。
【００３７】
前記実施例では、モータ１５の正逆回転力で扇形ギア１７を上下動させた例で説明したが、当該扇形ギアをバネで常に上方に押し上げられた状態に配設し、このバネの弾発力で下降した扇形ギアが上方の所定位置に戻るようにしてもよい。
【００３８】
又、扇形ギアに代えて、適宜の位置に押圧部を設けた円形ギアを使用し、この押圧部で薬液体の吐出部を押圧した後、回転して元の位置で停止するようにし、当該円形ギアの一回転で吐出部を一回押圧する機構としてもよい。
【００３９】
さらに、図４に示すように、モータ１５の回転をギア１６で減速し、ギア１６に噛み合ったギア４１に固着されたカム部４２で、バネ４３で常に上方に押し上げられた状態の押圧部１１の先端を所定時間間隔で下方に押し下げ、所定距離だけ、薬液体３０の吐出部３１を押圧するようにしてもよい。
【００４０】
このように、押圧部１１を上下動させる機構は、薬液体３０の吐出部３１を押し下げる機構であればよく、特に限定するものではない。
【００４１】
前記実施例では、制御部としてタイマーを使用した例で説明したが、当該簡易滅菌液供給装置を設置する建物における水の使用量、適正塩素濃度を予め調べ、薬液の注入量、注入頻度、昼夜等を考慮して、モータの動きを予めプログラムして記憶回路に記憶させ、この記憶回路からの指令により、薬液が吐出するように、駆動部１２のモータ１５の回動を制御してもよく、制御手段は、特に限定するものではない。
【００４２】
前記実施例では、制御部を内装体に設けた例で説明したが、予め定めた所定間隔で駆動部のモータを制御できればよく、制御部を設ける位置は、特に限定するものではない。
【００４３】
【発明の効果】
以上の説明から明らかなように本発明に係る簡易滅菌液供給装置は、以下に列挙する実用上の様々の優れた効果を有する。
【００４４】
本発明に係る簡易滅菌液供給装置は、構造が簡単で、塩素等の滅菌薬液を安定的に供給する簡易で、コンパクトで、安価なものである。制御部を配設することで、当該装置を配設する貯水槽の使用環境に応じて、薬液の吐出量をきめ細かく制御することができ、貯水槽内の飲料水の塩素濃度をより正確に一定に保つことができるものである。支持部材により貯水槽内に係止されているため、貯水槽の一定位置に当該装置を配することができ、薬液を貯水槽内で偏ることなく安定的に供給することができるものである。
【００４５】
吸着部材を内装しているため、薬液体から吐出した薬液が気化して当該装置の金属部分等を腐食することを防止し、当該装置を長持ちさせることができるものである。
【００４６】
底部に永久磁石を配設することにより、永久磁石が重りの働きをして、揚水による貯水槽内の水の攪拌に対しても、水面に安定して浮くことができ、薬液供給をより安定的に行うことができるばかりでなく、永久磁石の磁力により、貯水槽内の水が活性化され、配管を汚れにくくしたり、錆やスケールの発生を防止することができるものである。
【図面の簡単な説明】
【図１】本発明の一実施形態の使用例を示す一部を切欠いた正面説明図である。
【図２】前記実施態様の駆動部を説明する説明図である。
【図３】本発明に係る簡易滅菌液供給装置を貯水槽内に取り付けた状態を示す説明図である。
【図４】本発明の駆動部の他の実施形態を示す説明図である。
【符号の説明】
Ａ              簡易滅菌液供給装置
Ｂ              貯水槽
１              容器
２              支持部材
３              浮き部材
４              長孔
５              蓋体
７              永久磁石
１０            内装体
１１            押圧部
１２            駆動部
１４            電源部
１５            モータ
２０            制御部
３０            薬液体
３１            吐出部
３２            ホース
３５            吸着部材
【図１】
0003583372.tif 000002
【図２】
0003583372.tif 000003
【図３】
0003583372.tif 000004
【図４】
0003583372.tif 000005